(57)【特許請求の範囲】
【請求項１】
集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、
伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、
住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に互いに異なる第１の電圧値及び第２の電圧値を有する２種類の直流電圧を印加する幹線電源供給手段と、制御線を介して個別通話開始を指示する制御信号を受信したときに住戸機スイッチ要素を閉成するとともに幹線電源供給手段に第１の電圧値の直流電圧を印加させ、制御線を介して一斉放送開始を指示する制御信号を受信したときに住戸機スイッチ要素を閉成するとともに幹線電源供給手段に第２の電圧値の直流電圧を印加させる制御手段とを備え、
経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される第１の電圧値及び第２の電圧値の直流電圧を各別に検出し、第１の電圧値の直流電圧が検出されたときは当該信号線に挿入されている幹線スイッチ要素のみを閉成し、第２の電圧値の直流電圧が検出されたときは他の信号線を含む全ての信号線に挿入されている各幹線スイッチ要素を全て閉成するスイッチ要素駆動手段とを備え、
各住戸機では、制御線を介して一斉放送開始を指示する制御信号が伝送され、当該制御信号を受信したときに制御手段が住戸機スイッチ要素を閉成し、複数台の住戸機のうちの何れか１台の住戸機では、制御線を介して一斉放送開始を指示する制御信号が伝送され、当該制御信号を受信したときに制御手段が幹線電源供給手段に第２の電圧値の直流電圧を印加させることを特徴とする集合住宅用インターホンシステム。
【発明の詳細な説明】
【技術分野】
【０００１】
本発明は、集合住宅の共用玄関に設置された共用部装置と各住戸にそれぞれ設置される住戸機の何れか１台との間で択一的に通信路を確立して通話可能とする集合住宅用インターホンシステムに関し、特に共用部装置と１台の住戸機とが一対一で通話する個別通話の他に、集合住宅の管理室などに設置された一斉放送機器により全ての住戸機へ音声を一斉に放送することができる集合住宅用インターホンシステムに関するものである。
【背景技術】
【０００２】
従来から提供されている集合住宅用インターホンシステムの構成例（従来例１）を図２に示す。この従来例１では、集合住宅の共用玄関に設置される共用部装置（ロビーインターホン）１と、各住戸にそれぞれ設置される複数台の住戸機２とを備え、ロビーインターホン１と住戸機２とが伝送線路を介して接続されている。伝送線路は、ロビーインターホン１に接続される幹線Ｌ１と、各住戸機２にそれぞれ接続される住戸別線Ｌ２とを含み、さらに幹線Ｌ１を複数系統（図では２系統×２系統で合計４系統）に分配するための幹線制御装置３並びに幹線分配器４が設けられている。この伝送線路としては、３対以上のペア線をシース内に備える多対ツイストペアケーブルを用いており、図示例ではロビーインターホン１と住戸機２との間で音声信号を伝送する通話線Ｌａと、ロビーインターホン１が具備するカメラ（図示せず）で撮像された映像信号を伝送する映像線Ｌｂと、ロビーインターホン１が有する選択手段（後述する）により選択された住戸機２を指定する制御信号を伝送する制御線Ｌｃとにそれぞれペア線を用いている。つまり、図示例の伝送線路では３対のペア線を用いている。ここで、映像線Ｌｂを介して伝送される映像信号はロビーインターホン１において周波数変調され、後述するように各住戸機２に設けたＦＭ復調部２５ａで周波数復調されてモニタ２２に表示される。
【０００３】
ロビーインターホン１は、音声を入出力するマイクロホン及びスピーカと、来訪者を撮像するカメラと、住戸番号を指定するための番号キーと呼出釦を有する選択手段とを備え、来訪者が番号キーを操作して訪問先の住戸番号を選択した後に呼出釦を操作すると住戸番号に対応する住戸機２を選択したことになる。ここで、ロビーインターホン１には通話線Ｌａ及び制御線Ｌｃを介して通話制御装置５が接続されており、ロビーインターホン１で選択された住戸番号が制御線Ｌｃを介して通話制御装置５に伝送されると、通話制御装置５が当該住戸番号に対応する住戸機２に対して制御線Ｌｃを介して制御信号（呼出コマンド）を送出する。
【０００４】
一方、住戸機２は、音声を入出力するマイクロホン２１ａ及びスピーカ２１ｂを備え、マイクロホン２１ａとスピーカ２１ｂとはそれぞれ増幅器２４ａ，２４ｂを介して音声回路２４ｃに接続されている。音声回路２４ｃは、２線の通話線Ｌａと２個の増幅器２４ａ，２４ｂの入力線及び出力線とを２線４線変換する回路を含み、マイクロホン２１ａから入力される音声信号を通話線Ｌａに送出し、通話線Ｌａからの音声信号をスピーカ２１ｂ側に出力する機能を備えている。したがって、ロビーインターホン１と住戸機２との間で通話線Ｌａを通して音声信号を授受することができ、来訪者がロビーインターホン１を用いるとともに居住者が住戸機２を用いることによって、来訪者と居住者との間で音声通話が可能となる。
【０００５】
住戸機２に設けた音声回路２４ｃには、子器インタフェース回路２３及び子器接続線Ｌ３を介してドアホン子器６が接続される。ドアホン子器６は集合住宅の各住戸の玄関先に配置されるものであってマイクロホンおよびスピーカを備え、子器インタフェース回路２３はドアホン子器６との通話のための音声双方向増幅回路や音声回路２４ｃを接続するための開閉路回路などを備える。したがって、ドアホン子器６と住戸機２との間での通話が可能になっている。また、ドアホン子器６には呼出釦が設けられ、子器インタフェース回路２３ではドアホン子器６での呼出釦の操作時に呼出音を音声回路２４ｃに入力して、スピーカ２１ｂから送出させる機能も備える。ドアホン子器６の電源は住戸機２に内蔵した子器電源部２８ａから電源重畳部２８ｂを介して供給される。電源重畳部２８ｂは音声信号伝送帯域に対するインピーダンスを高くして子器接続線Ｌ３に電源を重畳する回路である。ここに、子器接続線Ｌ３には伝送線路とは別シースのケーブルを用いるのが一般的であるが、伝送線路の中の１対のペア線を流用することも可能である。
【０００６】
住戸機２において、モニタ２２には液晶表示器あるいはＣＲＴが用いられる。映像線Ｌｂを通して住戸機２に入力される映像信号は、平衡−不平衡変換のための結合トランス２５ｃを介して増幅器２５ｂに入力され、増幅器２５ｂで増幅された後にＦＭ復調部２５ａにおいて周波数復調される。ＦＭ復調部２５ａから出力された映像信号は、モニタ２２に入力されることによってモニタ２２の画面に映像を表示する。つまり、ロビーインターホン１のカメラにおいて撮像された来訪者の映像が住戸機２のモニタ２２に表示されるから、住戸内の居住者が来訪者を確認することができるのである。
【０００７】
住戸機２には内部回路を制御するＣＰＵ２０が設けられ、ＣＰＵ２０には制御線Ｌｃとのインタフェースとなる制御信号送受信回路２６が接続される。制御信号送受信回路２６は、ＣＰＵ２０から出力された制御信号を制御線Ｌｃに送出し、制御線Ｌｃから受信した制御信号をＣＰＵ２０に引き渡す機能を有する。住戸機２の内部電源は、電源回路２７によって商用電源（交流１００Ｖ）から生成される。
【０００８】
ところで、通話線Ｌａおよび制御線Ｌｃは、幹線Ｌ１と住戸別線Ｌ２とが直結され、幹線制御装置３並びに幹線分配器４においては各系統の幹線Ｌ１を直結している。したがって、ロビーインターホン１から送出された制御信号は制御線Ｌｃに接続されるすべての住戸機２に伝送される。ここに、住戸機２のＣＰＵ２０には個別にアドレス（たとえば、住戸番号）が設定されており、ロビーインターホン１においてアドレスを選択することによって、アドレスを指定する制御信号（呼出コマンド）が通話制御装置５から制御線Ｌｃを介して全ての住戸機２に伝送することが可能になっている。住戸機２のＣＰＵ２０は、制御信号に含まれるアドレスが自己のアドレスであればＦＭ復調部２５ａやモニタ２２を起動してロビーインターホン１のカメラにおいて撮像された来訪者の映像を住戸機２のモニタ２２に表示させるとともに、音声回路２４ｃを通じてスピーカ２１ｂから呼出音を送出させるように構成されている。そして、呼出音に応じて居住者が住戸機２の応答釦（図示せず）を押操作すれば、ＣＰＵ２０が住戸別線Ｌ２の通話線Ｌａにおける幹線Ｌ１と音声回路２４ｃとの間に挿入された住戸機リレーのリレー接点２９を閉成してロビーインターホン１との間に通信路を確立することにより、ロビーインターホン１と選択された住戸機２との間でのみ通話可能にすることができるとともに、選択された住戸機２でのみカメラで撮像された来訪者をモニタ２２に表示することが可能になる。但し、住戸別線Ｌ２のうちで映像線Ｌｂについては分岐器７を介して幹線Ｌ１から分岐されている。
【０００９】
上述のようにしてロビーインターホン１において選択された住戸機２がロビーインターホン１との間で通信路を確立している状態は、ロビーインターホン１または住戸機２において通話終了が検出されると終了する。つまり、ロビーインターホン１または住戸機２にハンドセットを用いる場合にはハンドセットをオンフックすることによって通話終了を検知でき、ハンズフリーで通話する場合には適宜の操作釦を用いて通話終了を指示できる。
【００１０】
幹線制御装置３においては、ロビーインターホン１から映像線Ｌｂを介して入力するＦＭ映像信号が平衡−不平衡変換のための結合トランス３１を介して増幅器３２に入力され、増幅器３２で増幅された後に分配回路３３により２系統に分配される。また、幹線制御装置３には給電回路３４が設けられ、分配回路３３で分配された２系統の映像線Ｌｂにそれぞれ直流電圧・電流を重畳することで幹線分配器４への給電が行われる。尚、幹線制御装置３においては、通話線Ｌａ並びに制御線Ｌｃは各系統の幹線Ｌ１に直接分岐されている。
【００１１】
また幹線分配器４においては、幹線制御装置３から映像線Ｌｂを介して入力するＦＭ映像信号が平衡−不平衡変換のための結合トランス４１を介して増幅器４２に入力され、増幅器４２で増幅された後に分配回路４３により２系統に分配される。幹線分配器４には映像線Ｌｂに重畳された直流電圧・電流から増幅器４２等の動作電源を作成する受電回路４４及び電源回路４５が設けられるとともに、結合トランス４１の入力側と分配回路４３の出力側とが映像分離コイル４６を介して接続されることにより、分配後の各系統の映像線Ｌｂに直流電圧・電流が重畳されている。尚、幹線分配器４においても、通話線Ｌａ並びに制御線Ｌｃは各系統の幹線Ｌ１に直接分岐されている。
【００１２】
ところで、伝送線路の線路長が長くなるにつれて線路の容量成分や誘導成分が増大して音声信号及び映像信号の伝送損失が無視できなくなる。このため、上述の従来例１においては、結合トランス８１や増幅器８２を具備して映像線Ｌｂを介して伝送されるＦＭ映像信号を増幅する映像増幅器８を適宜幹線Ｌ１に挿入することにより、映像信号の伝送損失を補っている。
【００１３】
一方、映像伝送機能を持たず、通話のみが可能な集合住宅用インターホンシステムの構成例（従来例２）を図３に示す。この従来例２では、従来例１と同様に、ロビーインターホン１、住戸機２、ドアホン子器６、通話制御装置５を備えているが、映像に関連する構成要素（カメラやＦＭ復調部、モニタ、映像線など）を有しない点を除けば、従来例１におけるものと共通の構成要素を有しているから、共通の構成要素には同一の符号を付して説明を省略する。
【００１４】
従来例２においては、複数台の住戸機２がそれぞれ分岐接続された複数系統（図示例では２系統）の幹線Ｌ１とロビーインターホン１側の幹線Ｌ１との間に挿入され、ロビーインターホン１との間で一対一の通話（以下、「個別通話」という）を行う１台の住戸機２が分岐接続された幹線Ｌ１のみをロビーインターホン１と接続するように音声信号の伝送経路を択一的に切り替える経路切替器９を備えている。経路切替器９においては１系統の幹線Ｌ１（通話線Ｌａ及び制御線Ｌｃ）が２系統の幹線Ｌ１に分配され、分配された２系統の各幹線Ｌ１における通話線Ｌａに常開型の幹線リレー接点９１Ａ，９１Ｂがそれぞれ挿入されている。
【００１５】
一方、従来例２における住戸機２には、個別通話時に住戸別線Ｌ２の通話線Ｌａの線間に直流電圧を印加（重畳）する幹線電源重畳回路２００が設けられており、ロビーインターホン１からの呼出に応答して居住者が住戸機２の応答釦（図示せず）を押操作したとき、住戸機２のＣＰＵ２０が住戸機リレーのリレー接点２９を閉成するとともに幹線電源重畳回路２００によって通話線Ｌａに直流電圧を印加する。
【００１６】
経路切替器９においては、通話線Ｌａの線間電圧を検出回路９２Ａ，９２Ｂで検出しており、その検出電圧が住戸機２の幹線電源重畳回路２００によって印加される直流電圧よりも低く設定されたしきい値を超えたときにトランジスタＱをオンして幹線リレーの励磁コイル９３Ａ又は９３Ｂに励磁電流を流すことにより、個別通話の対象である住戸機２が分岐接続されている幹線Ｌ１の通話線Ｌａに挿入された幹線リレー接点９１Ａ又は９１Ｂのみが閉成してロビーインターホン１と住戸機２との間に通信路が確立されることになる。
【００１７】
而して、従来例１においては映像信号の伝送損失は低減できるものの、通話線Ｌａについては全ての住戸機２と常に接続されているために音声信号の伝送損失を低減することができず、システムを構成する上で伝送線路の線路長に制限があったが、上述のように従来例２の構成では、幹線Ｌ１の分配点に設けられた経路切替器９によってロビーインターホン１と個別通話する住戸機２が分岐接続された幹線Ｌ１のみをロビーインターホン１に接続し、これ以外の幹線Ｌ１が経路切替器９においてロビーインターホン１から切り離されるようにしているので、上述のように伝送線路の容量成分や誘導成分の増大を抑えて音声信号の伝送損失を低減することができ、伝送線路の線路長の制限を緩和することが可能である。
【先行技術文献】
【特許文献】
【００１８】
【特許文献１】実開平６−９２５０号公報
【発明の概要】
【発明が解決しようとする課題】
【００１９】
ところで、火災や地震のような災害発生時等において、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等ための音声を一斉に放送したい場合があり、従来は、幹線Ｌ１とは別に一斉放送用の伝送線路が設けられており、また、これらの機能を実現するための装置が必要であった。この一斉放送の機能は、日常の連絡事項の伝達等にも用いられており、近年では、別装置の導入無しに連絡事項の伝達等の機能に対する要望が高まっており、一斉放送用の専用線を設ける代わりに、通常の個別通話用の通話線Ｌａで一斉放送を行うことが望ましい。
【００２０】
ここで、一斉放送を行うときのシステム動作を従来例２の場合で考えてみる。一斉放送開始を知らせる制御信号（一斉放送開始コマンド）が制御線Ｌｃを介して一斉放送機器から全ての住戸機２に伝送されると、各住戸機２のＣＰＵ２０が住戸機リレーのリレー接点２９を閉成するとともに幹線電源重畳回路２００によって通話線Ｌａに直流電圧を印加する。すると、経路切替器９においては通話線Ｌａに印加された直流電圧を検出して全ての幹線リレー接点９１Ａ及び９１Ｂを閉成するため、全ての住戸機２が幹線Ｌ１と接続される状態となり、一斉放送機器から通話線Ｌａに送出された音声信号が全ての住戸機２に伝送されて一斉放送が可能になる。但し、幹線電源重畳回路２００による直流電圧の印加は全ての住戸機２で行う必要はなく、幹線Ｌ１の各系統に分岐された複数台のうちの少なくとも１台の住戸機２で行えばよい。
【００２１】
ところが、上述のように一斉放送時に複数台の住戸機２から通話線Ｌａに直流電圧が印加されると、各経路切替器９における通話線Ｌａの分配点で印加電圧が衝突してしまい、伝送線路の抵抗成分や印加される直流電圧のばらつきなどに起因した電位差が生じ、その電位差がロビーインターホン１や住戸機２に印加されることで回路の破損等の不具合が生じる虞があった。
【００２２】
本発明は上記事情に鑑みて為されたものであり、その目的は、住戸機から印加される直流電圧の衝突を無くして不具合の発生を防止しながら、個別通話と一斉放送で同じ伝送線路を使用しつつ、個別通話時に、通話路の制御により通話対象でない幹線の通話路を切り離して配線の容量成分による音声信号の伝送損失を低減できる集合住宅用インターホンシステムを提供することにある。
【課題を解決するための手段】
【００２３】
請求項１の発明は、上記目的を達成するために、集合住宅の共用玄関に設置され音声の入出力が可能な共用部装置と、集合住宅の各住戸にそれぞれ設置され共用部装置とは伝送線路を介して接続されるとともに共用部装置が有する選択手段を来訪者が操作することにより選択されると共用部装置との間で通信路を確立する複数台の住戸機と、集合住宅の各住戸にそれぞれ設置され住戸機とは通話用の子器接続線を介して接続されるドアホン子器と、複数台の住戸機がそれぞれ分岐接続された複数系統の幹線と共用部装置が接続された幹線との間に挿入される経路切替器とを備え、伝送線路は、前記複数系統の幹線と各系統の幹線から各住戸機へそれぞれ分岐された住戸別線とを含み、幹線および住戸別線は、少なくとも選択手段の操作に伴って発生し個別通話の開始を指示する制御信号を伝送する制御線と、音声信号を伝送する信号線とからなり、住戸機は、共用部装置並びにドアホン子器との間で各々信号線及び子器接続線を介した通話を行う通話手段と、住戸別線の信号線に挿入された常開型の住戸機スイッチ要素と、住戸機スイッチ要素を介して幹線の信号線の線間に互いに異なる第１の電圧値及び第２の電圧値を有する２種類の直流電圧を印加する幹線電源供給手段と、制御線を介して個別通話開始を指示する制御信号を受信したときに住戸機スイッチ要素を閉成するとともに幹線電源供給手段に第１の電圧値の直流電圧を印加させ、制御線を介して一斉放送開始を指示する制御信号を受信したときに住戸機スイッチ要素を閉成するとともに幹線電源供給手段に第２の電圧値の直流電圧を印加させる制御手段とを備え、経路切替器は、共用部装置側の幹線から分配された前記複数系統の幹線における信号線にそれぞれ挿入された常開型の複数の幹線スイッチ要素と、各系統の幹線について住戸機の幹線電源供給手段によって信号線間に印加される第１の電圧値及び第２の電圧値の直流電圧を各別に検出し、第１の電圧値の直流電圧が検出されたときは当該信号線に挿入されている幹線スイッチ要素のみを閉成し、第２の電圧値の直流電圧が検出されたときは他の信号線を含む全ての信号線に挿入されている各幹線スイッチ要素を全て閉成するスイッチ要素駆動手段とを備え、各住戸機では、制御線を介して一斉放送開始を指示する制御信号が伝送され、当該制御信号を受信したときに制御手段が住戸機スイッチ要素を閉成し、複数台の住戸機のうちの何れか１台の住戸機では、制御線を介して一斉放送開始を指示する制御信号が伝送され、当該制御信号を受信したときに制御手段が幹線電源供給手段に第２の電圧値の直流電圧を印加させることを特徴とする。
【発明の効果】
【００２４】
請求項１の発明によれば、個別通話のときと一斉放送のときとで住戸機の幹線電源供給手段が信号線の線間に印加する直流電圧を異ならせ、経路切替器では、これら２種類の直流電圧に基づいてスイッチ要素駆動手段が個別通話か一斉放送かを判断するとともに一斉放送と判断したときには全ての幹線スイッチ要素を閉成するため、個別通話時と同じ伝送線路（信号線）を使って複数台の住戸機に向けた一斉放送が可能であり、しかも、一斉放送時にも何れか１台の住戸機のみが信号線の線間に直流電圧を印加すればよく、複数台の住戸機から信号線の線間に印加される直流電圧の衝突を無くして不具合の発生を防止しながら、個別通話時の通話に不要な幹線の伝送線路を接続しなくてよくなり、配線の容量成分による音声信号の伝送損失が低減できる。
【図面の簡単な説明】
【００２５】
【図１】本発明の実施形態を示すシステム構成図である。
【図２】従来例１のシステム構成図である。
【図３】従来例２のシステム構成図である。
【発明を実施するための形態】
【００２６】
従来の技術として説明したように、伝送線路のうち制御線Ｌｃは共用部装置（ロビーインターホン）１が相手先の住戸機２を選択するための制御信号を伝送するから、ロビーインターホン１および住戸機２において制御線Ｌｃに接続される回路は常時動作させておくことが必要である。つまり、ロビーインターホン１が住戸機２を選択するためのアドレスを含む制御信号は、すべての住戸機２に伝送されるから、すべての住戸機２において制御信号送受信回路２６およびＣＰＵ２０は常時作動する。これに対して、音声信号および映像信号に対する処理は住戸機２の選択後に行えばよいから、音声信号と映像信号とは一括して扱うことができ、しかも、音声信号と映像信号とは周波数帯域が異なるから（音声信号に対して映像信号は周波数が十分に高い）、周波数多重化の技術によって多重化することができる。
【００２７】
そこで、以下に説明する実施形態では、ロビーインターホン１と幹線制御装置３との間は図２に示した従来構成と同様に３対のペア線からなる伝送線路を介して接続するが、幹線制御装置３において音声信号と映像信号とを多重化することにより、幹線制御装置３から先においては伝送線路に用いる線数を従来構成よりも低減した例について説明する。なお、制御信号はロビーインターホン１から住戸機２の呼出に用いるだけではなく、一斉放送の開始を指示する目的にも用いられる。この種の制御信号にはベースバンド信号を用いることもあり、ベースバンド信号は周波数帯域が広く、音声信号や映像信号との分離が困難であるから、このことからも音声信号および映像信号と制御信号とを各別に伝送することが伝送品質の点から必要になる。また、以下の説明では経路切替器１０で幹線Ｌ１を分けることを「分配」と呼び、幹線Ｌ１から住戸別線Ｌ２を分けることを「分岐」と呼ぶ。
【００２８】
本実施形態は、図１に示すように、ロビーインターホン１に対して３対のペア線からなる伝送線路を介して幹線制御装置３を接続し、さらに幹線制御装置３と複数台の住戸機２とを２対のペア線からなる伝送線路を介して接続したものである。２対のペア線からなる伝送線路は、図２に示した従来構成と同様にロビーインターホン１に接続される幹線Ｌ１と、住戸機２に接続される住戸別線Ｌ２とからなり、幹線Ｌ１と住戸別線Ｌ２との間には分岐器７が挿入され、幹線分配器４の代わりに、複数台の住戸機２がそれぞれ分岐接続された複数系統の幹線Ｌ１とロビーインターホン１が接続された幹線Ｌ１との間に経路切替器１０が挿入される。図１を見ればわかるように、本実施形態の基本的な構成は図２又は図３に示した従来構成と同様であって、図１において図２及び図３に示した従来構成と同機能の構成には同符号を付してある。
【００２９】
本実施形態と従来構成との主な相違点は、図２に示した従来構成における伝送線路では通話線Ｌａと映像線Ｌｂと制御線Ｌｃとの３対のペア線を用いていたのに対して、本実施形態では、ロビーインターホン１と幹線制御装置３の間の伝送線路は同じく３対のペア線を用いるが、幹線制御装置３から住戸機２までの伝送線路には信号線Ｌｄと制御線Ｌｃとの２対のペア線を用いている点である。但し、ロビーインターホン１と幹線制御装置３との間では、図２に示した従来構成と同様に通話制御装置５を介して通話線Ｌａ及び制御線Ｌｃが接続されている。
【００３０】
信号線Ｌｄは音声信号と映像信号とをともに伝送するものであって、音声信号と映像信号との両方で信号線Ｌｄを用いるために、幹線制御装置３及び住戸機２にはそれぞれ多重分離回路２０１を設けている。住戸機２に用いている多重分離回路２０１は、音声回路２４ｃと信号線Ｌｄとの間に挿入される低周波通過部２０１ａと、結合トランス２５ｃと信号線Ｌｄとの間に挿入される高周波通過部２０１ｂとからなる（但し、幹線制御装置３については図示並びに説明を省略する。）。低周波通過部２０１ａは音声信号伝送帯域に対して低インピーダンスであって映像信号帯域に対して高インピーダンスのものを用い、高周波通過部２０１ｂは音声信号伝送帯域に対して高インピーダンスであって映像信号伝送帯域に対して低インピーダンスのものを用いる。図示例では、低周波通過部２０１ａとしてインダクタを用い、高周波通過部２０１ｂとしてコンデンサを用いている。尚、低周波通過部２０１ａよりも音声回路２４ｃ側で信号線Ｌｄの線間に幹線電源重畳回路２００により直流電圧が印加されるようになっており、この直流電圧が音声信号に与える影響を取り除くために低周波通過部２０１ａと音声回路２４ｃとの間には直流電圧を阻止するコンデンサ２０２並びに音声信号を通過させる結合トランス２０３が挿入されている。
【００３１】
本実施形態に用いる経路切替器１０は、１系統の幹線Ｌ１（信号線Ｌｄ及び制御線Ｌｃ）が２系統の幹線Ｌ１に分配され、分配された２系統の各幹線Ｌ１における信号線Ｌｄに常開型の幹線リレー接点１０１Ａ，１０１Ｂがそれぞれ挿入されている。また、経路切替器１０は、幹線リレー接点１０１Ａ，１０１Ｂよりも住戸機２側において信号線Ｌｄの線間電圧から直流成分を分離するとともに分離した直流成分を電源として幹線リレー（図示せず）を駆動することにより幹線リレー接点１０１Ａ，１０１Ｂを開閉する幹線リレー駆動部１０２Ａ，１０２Ｂを備えている。この幹線リレー駆動部１０２Ａ，１０２Ｂは、音声信号並びに映像信号の通過を阻止する一対のインダクタ１０２ａと、交流入力端がそれぞれインダクタ１０２ａを介して信号線Ｌｄに接続されたダイオードブリッジ１０２ｂと、ダイオードブリッジ１０２ｂの脈流出力端から取り出した直流電圧を定電圧化して幹線リレーの励磁コイルに励磁電流を流す駆動回路１０２ｃと、信号線Ｌｄの線間に印加された第１の電圧値の直流電圧と第２の電圧値の直流電圧を各別に検出する電圧検出回路１０２ｄとで構成されている。さらに、各系統の幹線Ｌ１における信号線Ｌｄにおいて幹線リレー接点１０１Ａ，１０１Ｂと幹線リレー駆動部１０２Ａ，１０２Ｂとの間には、音声信号並びに映像信号を通過させるとともに直流電圧を阻止する直流電圧阻止用のコンデンサ１０３Ａ，１０３Ｂがそれぞれ挿入されている。但し、経路切替器１０が商用電源から電源を得る電源回路を備え、電源回路によって幹線リレーの駆動電源を得るとともに、住戸機２によって信号線Ｌｄの線間に印加される直流電圧を検出する検出回路を設け、検出回路で直流電圧を検出したときに幹線リレーを駆動させる構成としてもよい。
【００３２】
ここで本実施形態においては、住戸機２の幹線電源重畳回路２００が個別通話時と一斉放送時とで互いに電圧値が異なる２種類の直流電圧を信号線Ｌｄの線間に印加可能であり、経路切替器１０では信号線Ｌｄの線間に印加される直流電圧の電圧値に基づいて個別通話と一斉放送を判別し、その判別結果に応じて幹線リレー接点１０１Ａ，１０１Ｂを開閉するようにしている。
【００３３】
住戸機２の幹線電源重畳回路２００は、第１の電圧値（例えば、３０Ｖ）と第２の電圧値（例えば、１０Ｖ）の２種類の直流電圧を信号線Ｌｄの線間に印加できるものであって、第１の電圧値と第２の電圧値の切替については、外部から供給される２種類の電源（３０Ｖ用の電源と１０Ｖ用の電源）の入力をＣＰＵ２０で制御される切替スイッチＳＷにより切り替えることで行われる。すなわち、住戸機２のＣＰＵ２０では、個別通話の呼出コマンドの制御信号を受け取ったときに切替スイッチＳＷを３０Ｖ用の電源に切り替えて幹線電源重畳回路２００から第１の電圧値（３０Ｖ）の直流電圧を信号線Ｌｄの線間に印加させ、一斉放送開始コマンドの制御信号を受け取ったときに切替スイッチＳＷを１０Ｖ用の電源に切り替えて幹線電源重畳回路２００から第２の電圧値（１０Ｖ）の直流電圧を信号線Ｌｄの線間に印加させるのである。
【００３４】
一方、経路切替器１０の幹線リレー駆動部１０２Ａ，１０２Ｂでは、電圧検出回路１０２ｄが信号線Ｌｄの線間に印加された直流電圧の電圧値を第１の電圧値と第２の電圧値との間に設定されたしきい値（例えば、２０Ｖ）と比較することで第１及び第２の電圧値の直流電圧を各別に検出する。そして、電圧検出回路１０２ｄが個別通話に対応する第１の電圧値の直流電圧を検出したときには当該信号線Ｌｄに挿入されている幹線リレー接点１０１Ａ（又は１０１Ｂ）のみを駆動回路１０２ｃによって閉成させ、電圧検出回路１０２ｄが一斉放送に対応する第２の電圧値の直流電圧を検出したときには各幹線Ｌ１1，Ｌ１2の信号線Ｌｄに挿入されている幹線リレー接点１０１Ａ及び１０１Ｂを駆動回路１０２ｃによって全て閉成させるのである。
【００３５】
次に本実施形態の要部の動作を説明する。但し、以下では説明を簡単にするために、幹線制御装置３と経路切替器１０の間を接続する幹線Ｌ１を幹線Ｌ１0、経路切替器１０を介して分配された２系統の幹線Ｌ１をそれぞれ幹線Ｌ１1及び幹線Ｌ１2と表記し、一方の幹線Ｌ１1に分岐器７を介して分岐接続された複数台の住戸機２を住戸機２11，２12，…、他方の幹線Ｌ１2に分岐器７を介して分岐接続された複数台の住戸機２を住戸機２21，２22，…と表記する。
【００３６】
まず、ロビーインターホン１と、ロビーインターホン１で選択された１台の住戸機２（例えば、住戸機２11）との間で個別通話する場合について説明する。ロビーインターホン１で選択された住戸機２11に対して通話制御装置５から制御線Ｌｃを介して制御信号（呼出コマンド）が伝送され、この制御信号に含まれるアドレスが一致した住戸機２11では、ＣＰＵ２０が呼出コマンドに応じて住戸機リレーのリレー接点２９を閉成するとともに切替スイッチＳＷを３０Ｖ用の電源側に切り替えて幹線電源重畳回路２００により幹線Ｌ１1における信号線Ｌｄの線間に第１の電圧値（３０Ｖ）の直流電圧を印加し、さらに音声回路２４ｃを通じてスピーカ２１ｂから呼出音を送出させる。経路切替器１０の幹線リレー駆動部１０２Ａでは、幹線Ｌ１1における信号線Ｌｄの線間に第１の電圧値の直流電圧が印加されると電圧検出回路１０２ｄが第１の電圧値の直流電圧を検出し、駆動回路１０２ｃが動作して幹線リレーの励磁コイルに励磁電流を流すことにより幹線リレーを駆動し、直流電圧が印加されている幹線Ｌ１1における信号線Ｌｄに挿入された幹線リレー接点１０１Ａのみを閉成する。さらにロビーインターホン１に選択された住戸機１では、ＣＰＵ２０がＦＭ復調部２５ａやモニタ２２を起動し、経路切替器１０の幹線リレー接点１０１Ａが閉成されることで信号線Ｌｄを介して伝送されるＦＭ映像信号をＦＭ復調部２５ａで周波数復調してロビーインターホン１のカメラにおいて撮像された来訪者の映像を住戸機２のモニタ２２に表示させる。そして、ロビーインターホン１からの呼出に応答して居住者が住戸機２11の応答釦（図示せず）を押操作すると、住戸機２11のＣＰＵ２０が音声回路２４ｃを起動する。一方、ロビーインターホン１に選択されなかった住戸機２12，…、２21，…では、ＣＰＵ２０が住戸機リレーのリレー接点２９を閉成せず、また幹線電源重畳回路２００によって信号線Ｌｄの線間に直流電圧を印加しないから、ロビーインターホン１に選択されなかった住戸機２21，…のみが分岐接続されている幹線Ｌ１2においては、幹線リレー接点１０１Ｂが開成された状態のままとなる。
【００３７】
上述した動作により、経路切替器１０においては２系統の幹線Ｌ１1，Ｌ１2のうちでロビーインターホン１に選択された住戸機２11が分岐接続された幹線Ｌ１1のみが幹線制御装置３側の幹線Ｌ１0と接続され、他方の幹線Ｌ１2が幹線制御装置３側の幹線Ｌ１0と切り離されるから、ロビーインターホン１と選択された住戸機２11との間でのみ通話が可能になるとともに、選択された住戸機２11でのみロビーインターホン１のカメラで撮像された来訪者をモニタ２２に表示することが可能になる。
【００３８】
次に、集合住宅の管理室に設置された一斉放送機器（例えば、いわゆる警報監視盤などのように音声入力が可能であって幹線を介して各住戸機に音声信号を送信し得る構成を備えた機器）から全ての住戸の住戸機２に対して避難誘導等のための音声を一斉に放送する場合について説明する。一斉放送を開始するに当たって全ての住戸機２に対して通話制御装置５から制御線Ｌｃを介して制御信号（一斉放送開始コマンド）が伝送され、この一斉放送開始コマンドに応じて全ての住戸機２のＣＰＵ２０が住戸機リレーのリレー接点２９を閉成するとともに、各系統の幹線Ｌ１1，Ｌ１2に分岐接続された複数台の住戸機２のうちの何れか１台（例えば、住戸機２11）においてのみＣＰＵ２０が切替スイッチＳＷを１０Ｖ用の電源側に切り替えて幹線電源重畳回路２００により幹線Ｌ１1における信号線Ｌｄの線間に第２の電圧値（１０Ｖ）の直流電圧を印加する。経路切替器１０の幹線リレー駆動部１０２Ａでは、幹線Ｌ１1における信号線Ｌｄの線間に第２の電圧値の直流電圧が印加されると電圧検出回路１０２ｄが第２の電圧値の直流電圧を検出し、駆動回路１０２ｃが動作して幹線リレーの励磁コイルに励磁電流を流すことにより幹線リレーを駆動し、全ての幹線Ｌ１1，Ｌ１2における信号線Ｌｄに挿入された幹線リレー接点１０１Ａ，１０１Ｂを双方とも閉成する。
【００３９】
そして、一斉放送を終了するに当たっては、全ての住戸機２に対して通話制御装置５から制御線Ｌｃを介して制御信号（一斉放送終了コマンド）が伝送され、この一斉放送終了コマンドに応じて全ての住戸機２のＣＰＵ２０が住戸機リレーのリレー接点２９を開成するとともに住戸機２11のＣＰＵ２０が幹線電源重畳回路２００による信号線Ｌｄの線間への直流電圧印加を停止する。経路切替器１０の幹線リレー駆動部１０２Ａでは、幹線Ｌ１1における信号線Ｌｄの線間への直流電圧印加が停止されることにより、駆動回路１０２ｃが停止し、各幹線Ｌ１1，Ｌ１2における信号線Ｌｄに挿入された幹線リレー接点１０１Ａ，１０１Ｂを開成する。
【００４０】
上述した動作により、経路切替器１０においては２系統の幹線Ｌ１1，Ｌ１2が双方とも幹線制御装置３側の幹線Ｌ１0と接続されるから、一斉放送機器から通話制御装置５を介して通話線Ｌａに送出される一斉放送用の音声信号が各幹線Ｌ１1，Ｌ１2にそれぞれ分岐接続されている全ての住戸機２に伝送されてスピーカ２１ｂから出力される。
【００４１】
而して本実施形態によれば、個別通話のときと一斉放送のときとで住戸機２の幹線電源重畳回路２００が信号線Ｌｄの線間に印加する直流電圧を異ならせ、経路切替器１０では、これら２種類の直流電圧を電圧検出回路１０２ｄにより各別に検出し、その検出結果に基づいて幹線リレー駆動部１０２Ａ又は１０２Ｂで個別通話か一斉放送かを判断するとともに一斉放送と判断したときには全ての幹線リレー接点１０１Ａ，１０１Ｂを閉成するため、個別通話時と同じ信号線Ｌｄを使って複数台の住戸機２に向けた一斉放送が可能であり、しかも、一斉放送時にも何れか１台の住戸機２のみが信号線Ｌｄの線間に直流電圧を印加すればよく、複数台の住戸機２から信号線Ｌｄの線間に印加される直流電圧の衝突を無くして不具合の発生を防止することができる。
【００４２】
尚、本実施形態では一斉放送の対象をシステムに含まれる全ての住戸機２として説明したが、必ずしも全ての住戸機２を一斉放送の対象とする必要はなく、例えば、一斉放送の内容に応じて対象とする住戸機２を限定してもよい。
【符号の説明】
【００４３】
１  ロビーインターホン
２  住戸機
６  ドアホン子器
１０  経路切替器
１０１Ａ，１０１Ｂ  幹線リレー接点
１０２Ａ，１０２Ｂ  幹線リレー駆動部
２００  幹線電源重畳回路
【図１】
0004428468.tif 000002
【図２】
0004428468.tif 000003
【図３】
0004428468.tif 000004